【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
（ａ）導体であって、（ｉ）少なくとも２つの導体層であって、前記少なくとも２つの導体層のそれぞれは、複数の導体ストランドを有している前記少なくとも２つの導体層と、（ｉｉ）前記導体ストランドの間に配置される半導性又は絶縁性の材料と、を備える前記導体と、
（ｂ）コネクタであって、（ｉ）第１の開口部を有する第１の端部と第２の端部との間に延びる第１の軸と、（ｉｉ）前記第１の軸を横切る第２の軸と、（ｉｉｉ）外面と、を有するハウジングを備える前記コネクタと、
（ｃ）前記第１の開口部と少なくとも部分的に同じ位置に配置されるソケットキャビティであって、（ｉ）前記第１の軸に沿って延び、（ｉｉ）前記ハウジングの内面を画定し、（ｉｉｉ）前記導体を受容するようにサイズ決めされる前記ソケットキャビティと、
（ｄ）前記ハウジングを通る通路であって、（ｉ）前記第２の軸に沿って前記ハウジングの外面から前記ハウジングの内面まで延び、（ｉｉ）導電性ファスナを収容するようにサイズ決めされた前記通路と、
を備え、
（Ａ）前記導電性ファスナは、先がとがった先端を有する第１のファスナ貫通端部、第２のファスナ貫通端部、および、前記第１のファスナ貫通端部と前記第２のファスナ貫通端部との間に延びる第１の長さを有し、
（Ｂ）前記ソケットキャビティが前記導体を受容し、前記導電性ファスナが前記通路内に固定されたときに、前記第１のファスナ貫通端部と前記第１の長さの一部が、（ｉ）前記ソケットキャビティ内に延び、（ｉｉ）前記導体ストランド間の前記導体内に延び、前記導体ストランドを変位させ、（ｉｉｉ）前記半導性又は絶縁性の材料を通って延びることで、前記少なくとも２つの導体層との電気的接続を確立するように、前記第１の長さはサイズ決めされる、電気コネクタアセンブリ。
【請求項２】
前記導電性ファスナは、シャーボルト、スクリュ、または、リベットからなる群から選択される、請求項１に記載の電気コネクタアセンブリ。
【請求項３】
前記導電性ファスナは、複数の破断点を有するシャーボルトである、請求項１に記載の電気コネクタアセンブリ。
【請求項４】
前記コネクタは、圧着コネクタである、請求項１に記載の電気コネクタアセンブリ。
【請求項５】
前記通路は、前記導電性ファスナを前記ハウジングの外面に打ち込むことによって形成される、請求項１に記載の電気コネクタアセンブリ。
【請求項６】
前記通路は、前記導電性ファスナを前記ハウジングの外面に打ち込むことによって形成される、請求項４に記載の電気コネクタアセンブリ。
【請求項７】
前記電気コネクタアセンブリは、さらに、
第２の導体であって、（ｉ）少なくとも２つの導体層であって、前記少なくとも２つの導体層のそれぞれは、複数の導体ストランドを有している前記少なくとも２つの導体層と、（ｉｉ）前記導体ストランドの間に配置される半導性又は絶縁性の材料と、を備える前記導体を備え、
（ａ）前記ハウジングの前記第２の端部は、第２の開口部を有し；
（ｂ）前記ソケットキャビティは、前記第１の開口部から前記第２の開口部まで延びるチャネルを画定し、前記第２の開口部は、前記第２の導体を受容するようにサイズ決めされ；
（ｃ）前記通路は、前記ハウジングの外面に開口を画定し、前記開口は、前記ハウジングの第１の端部から第１の距離に位置し；
（ｄ）前記ハウジングは、さらに、第２の通路であって、（ｉ）前記ハウジングの外面から前記ハウジングの内面まで前記第１の軸を横切る第３の軸に沿って延び、（ｉｉ）前記ハウジングの外面において、前記第１の開口部から、前記第１の距離よりも大きい第２の距離にある第２の開口を画定し、（ｉｉｉ）第２の導電性ファスナを収容するようにサイズ決めされる前記第２の通路を備え、
（Ａ）前記第２の導電性ファスナは、先がとがった先端を有する第３のファスナ貫通端部、第４のファスナ貫通端部、および、前記第３のファスナ貫通端部と前記第４のファスナ貫通端部との間に延びる第２の長さを有し、
（Ｂ）前記ソケットキャビティが前記第２の導体を受容し、前記第２の導電性ファスナが前記第２の通路内に固定されたときに、前記第３のファスナ貫通端部及び前記第２の長さの一部が、（ｉ）前記ソケットキャビティ内に延び、（ｉｉ）前記導体ストランド間の前記第２の導体内に延び、前記導体ストランドを変位させ、（ｉｉｉ）前記半導性又は絶縁性の材料を通って延びることで、前記少なくとも２つの導体層との電気的接続を確立するように、前記第２の長さはサイズ決めされる、請求項１に記載の電気コネクタアセンブリ。
【請求項８】
前記導電性ファスナは、シャーボルト、スクリュまたはリベットからなる群から選択される、請求項７に記載の電気コネクタアセンブリ。
【請求項９】
前記第２の導電性ファスナは、シャーボルト、スクリュまたはリベットからなる群から選択される、請求項８に記載の電気コネクタアセンブリ。
【請求項１０】
（ａ）導体であって、
（ｉ）第１の導体層及び第２の導体層であって、前記第１の導体層及び前記第２の導体層の両方は、複数の導体ストランドを有している、前記第１の導体層及び前記第２の導体層と、
（ｉｉ）前記導体ストランド間に配置される半導性又は絶縁性の材料と、を備え
（ｉｉｉ）前記第１の導体層は、前記複数の導体ストランド、及び、前記半導性又は絶縁性の材料の一部を取り除くことによって画定される切欠きセグメントを備える、
前記導体と、
（ｂ）コネクタであって、（ｉ）第１の開口部を有する第１の端部と第２の端部との間に延びる第１の軸と、（ｉｉ）前記第１の軸を横切る第２の軸と、（ｉｉｉ）外面と、を有するハウジングを備える前記コネクタと、
（ｃ）前記第１の開口部と少なくとも部分的に同じ位置に配置されるソケットキャビティであって、
前記ソケットキャビティは、（ｉ）前記第１の軸に沿って延び、（ｉｉ）前記ハウジングの内面を画定し、（ｉｉｉ）前記導体を受容するようにサイズ決めされる、前記ソケットキャビティと、
（ｄ）前記ハウジングを通る第１の通路であって、（ｉ）前記第２の軸に沿って前記ハウジングの外面から前記ハウジングの内面まで延び、（ｉｉ）第１の導電性ファスナを収容するようにサイズ決めされ、
（Ａ）前記第１の導電性ファスナは、第１のファスナ端部、第２のファスナ端部、および、前記第１のファスナ端部と前記第２のファスナ端部との間に延びる第１の長さを有し、
（Ｂ）前記ソケットキャビティが前記導体を受容し、前記第１の導電性ファスナが前記第１の通路内に固定されたときに、前記第１のファスナ端部が、前記ソケットキャビティ内に延びるように、かつ、前記第１の導体層との電気的接続を確立するように、前記第１の長さがサイズ決めされる、
前記第１の通路と、
（ｅ）前記ハウジングを通る第２の通路であって、（ｉ）前記第２の軸に沿って前記ハウジングの外面から前記ハウジングの前記内面まで延び、（ｉｉ）第２の導電性ファスナを収容するようにサイズ決めされ、
（Ａ）前記第２の導電性ファスナは、第３のファスナ端部、第４のファスナ端部、および、前記第３のファスナ端部と前記第４のファスナ端部との間に延びる第２の長さを有し、
（Ｂ）前記ソケットキャビティが前記導体を受容し、前記第２の導電性ファスナが前記第２の通路内に固定されたときに、前記第３のファスナ端部が、前記ソケットキャビティ内に延びるように、かつ、前記第２の導体層との電気的接続を確立するように、前記第２の長さがサイズ決めされる、
前記第２の通路と、を備える、
電気コネクタアセンブリ。
【請求項１１】
（ａ）前記ソケットキャビティが前記導体を受容すると、前記第２の通路は、前記切欠きセグメントと整列し、
（ｂ）前記導電性ファスナは、前記第２の通路を通って、前記切欠きセグメント内に延び、前記第２の導体層と係合することによって、前記第２の導体層との電気的接続を確立する、請求項１０に記載の電気コネクタアセンブリ。
【請求項１２】
（ａ）前記第１の導体層および前記第２の導体層は、同心円状に配置されており、
（ｂ）前記切欠きセグメントは、ノッチである、請求項１１に記載の電気コネクタアセンブリ。
【請求項１３】
（ａ）前記第１の導体層および前記第２の導体層は、同心円状に配置されており、
（ｂ）前記切欠きセグメントは、前記第１の軸に沿って延びるセグメント長を有し、前記セグメント長にわたり前記第１の導体層の断面全体を取り除くことによって形成される、請求項１１に記載の電気コネクタアセンブリ。
【請求項１４】
（ａ）前記第１の導体層および前記第２の導体層は、同心円状に配置されており、
（ｂ）前記切欠きセグメントは、前記第１の軸に沿って延びるセグメント長を有し、前記セグメント長にわたり前記第１の導体層の断面全体を取り除くことによって形成され、
（ｃ）導電性シムは、少なくとも部分的に前記切欠きセグメント内の前記第２の導体層の周りに配置され、前記第２の導体層と電気的に接続し、
（ｄ）前記第２の導電性ファスナは、前記第２の通路を通って延び、前記導電性シムと係合することによって、前記第２の導体層と電気的に接続する、請求項１０に記載の電気コネクタアセンブリ。
【請求項１５】
（ａ）導電性シムは、少なくとも部分的に前記切欠きセグメント内に配置され、前記第２の導体層と電気的に接続し、
（ｂ）前記第２の導電性ファスナは、前記第２の通路を通って延び、前記導電性シムと係合することによって、前記第２の導体層との電気的接続を確立する、請求項１０に記載の電気コネクタアセンブリ。
【請求項１６】
（ａ）導電性シムは、少なくとも部分的に前記切欠きセグメント内の前記第１の導体層の周りに配置され、かつ、少なくとも部分的に前記第２の導体層の周りに配置され、前記第１の導体層および前記第２の導体層の両方と電気的に接続し、
（ｂ）前記第２の導電性ファスナは、前記第２の通路を通って延び、前記導電性シムと係合することによって、前記第１の導体層および前記第２の導体層の両方との電気的接続を確立する、請求項１０に記載の電気コネクタアセンブリ。
【請求項１７】
前記導電性シムは可鍛性材料から形成される、請求項１５に記載の電気コネクタアセンブリ。
【請求項１８】
前記導電性シムは、（ｉ）長手軸およびシム長を有する細長中空本体と、（ｉｉ）前記中空本体におけるスリットと、を備え、前記スリットは、前記長手軸の方向に延び、前記シム長未満のスリット長を有する、請求項１５に記載の電気コネクタアセンブリ。
【請求項１９】
（ａ）少なくとも２つの導体層を有する導体であって、前記少なくとも２つの導体層のそれぞれが、複数の導体ストランドを有している、前記導体を提供するステップと、
（ｂ）ハウジングを有するコネクタを提供するステップであって、
（ｉ）第１の開口部を有する第１の端部と第２の端部との間に延びる第１の軸と、
（ｉｉ）前記第１の軸を横切る第２の軸と、
（ｉｉｉ）外面と、
（ｉｖ）前記第１の開口部と少なくとも部分的に同じ位置に配置されるソケットキャビティであって、（Ａ）前記第１の軸に沿って延び、（Ｂ）前記ハウジングの内面を画定し、（Ｃ）前記導体を受容するようにサイズ決めされる前記ソケットキャビティと、
（ｖ）前記ハウジングを通る第１の通路であって、（Ａ）前記第２の軸に沿って前記ハウジングの外面から前記ハウジングの内面まで延び、（Ｂ）第１の導電性ファスナを収容するようにサイズ決めされた前記第１の通路と、
を備えた前記ハウジングを有する前記コネクタを提供するステップと、
（ｃ）先がとがった先端を有する第１のファスナ貫通端部、第２のファスナ貫通端部、及び、前記第１のファスナ貫通端部と前記第２のファスナ貫通端部との間に延びる第１の長さを備えた前記第１の導電性ファスナを提供するステップと、
（ｄ）前記導体を前記第１の開口部および前記ソケットキャビティ内に挿入するステップと、
（ｅ）前記第１の導電性ファスナ及び前記第１の長さの一部が、（ｉ）前記ソケットキャビティ内に延び、（ｉｉ）前記導体ストランド間の前記導体に延び、かつ、前記導体ストランドを変位させることで、前記少なくとも２つの導体素子との電気的接続を確立するように、前記第１の導電性ファスナを前記第１の通路内に挿入するステップと、
を備える、電気的接続を確立する方法。
【請求項２０】
｛原クレーム２１｝
（ａ）前記ハウジングは、さらに、前記ハウジングを通る第２の通路であって、（Ａ）前記第２の軸に沿って前記ハウジングの外面から前記ハウジングの内面まで延び、（Ｂ）第２の導電性ファスナを収容するようにサイズ決めされた前記第２の通路を備え、
（ｂ）前記導体は、前記複数の導体ストランドの一部と、半導性又は絶縁性の材料を取り除くことによって画定される切欠きセグメントを有する第１の導体層と、第２の導体層と、
（ｃ）前記第１の導電性ファスナは、前記第１の通路を通って、前記切欠きセグメント内に延び、前記第１の導体層と係合することによって、前記第１の導体層との電気的接続を確立し、
（ｄ）前記第２の導電性ファスナは、前記第２の通路を通って、前記切欠きセグメント内に延び、前記第２の導体層と係合することによって、前記第２の導体層との電気的接続を確立する、請求項１９に記載の電気的接続を確立する方法。
【請求項２１】
前記方法は、さらに、
（ａ）導電性シムを提供するステップと、
（ｂ）前記導電性シムを、少なくとも部分的に前記切欠きセグメント内に設置するステップと、を備え、
（Ａ）前記導電性シムは、前記第２の導体層と電気的に接続し、
（Ｂ）前記第２の導電性ファスナは、前記第２の通路を通って延び、前記切欠きセグメント内の前記導電性シムと係合することによって、前記第２の導体層との電気的接続を確立する、請求項２０に記載の電気的接続を確立する方法。